(57)【要約】【課題】  設備が小型化し、その設備にかかる費用及び消費する電力が削減され、処理効率が高い水処理装置を提供すること。【解決手段】  水処理装置２０であって、処理水４が流れる処理水管２，３に接続された処理水槽１１内に設けられた一対の電極２１，２２と、一対の電極２１，２２に接続されたパルス電源２３とを備え、パルス電源２３によって一対の電極２１，２２間にパルス電圧を印加させて処理水４に含まれる細菌を処理水槽１１内で殺菌することを特徴とする。【選択図】      図１
2005058995.tif 000002
【特許請求の範囲】
【請求項１】
処理水が流れる処理水槽内に設けられた一対の電極と、前記一対の電極に接続されたパルス電源とを備え、前記パルス電源によって前記一対の電極間にパルス電圧を印加させることにより前記処理水に所定の処理を施すことを特徴とする水処理装置。
【請求項２】
処理水が流れる処理水槽内に設けられた一対の電極と、前記一対の電極に接続されたパルス電源とを備え、前記パルス電源によって前記一対の電極間にパルス電圧を印加させることにより前記処理水に含まれる細菌を殺菌することを特徴とする水処理装置。
【請求項３】
処理水が流れる処理水槽内に設けられた一対の電極と、前記一対の電極に接続されたパルス電源とを備え、前記パルス電源によって前記一対の電極間にパルス電圧を印加させることにより前記処理水を可溶化することを特徴とする水処理装置。
【請求項４】
前記一対の電極は、メッシュ状に構成された平面を有し、前記平面を処理水の流れ方向に垂直となるように配置され、前記流れ方向に対して上流側に位置する電極には下流方向に向いた複数の針状部、あるいは／及び、下流側に位置する電極には上流方向に向いた複数の針状部が形成されていることを特徴とする請求項１〜３いずれかに記載の水処理装置。
【請求項５】
前記一対の電極は、メッシュ状に形成された球体電極と、先端が前記球体電極の中心に位置する棒状電極であることを特徴とする請求項１〜３いずれかに記載の水処理装置。
【請求項６】
処理水が流れる処理水槽と、前記処理水槽内に設けられた一対の電極及び前記一対の電極に接続されたパルス電源が設けられ前記パルス電源によって前記一対の電極間にパルス電圧を印加させて前記処理水に所定の処理を施す水処理装置とを備え、前記水処理装置が前記処理水槽内で複数直列に配置されていることを特徴とする水処理設備。
【請求項７】
処理水が流れる処理水管に接続された処理水槽と、前記処理水槽内に設けられた一対の電極及び前記一対の電極に接続されたパルス電源が設けられ前記パルス電源によって前記一対の電極間にパルス電圧を印加させて前記処理水に含まれる細菌を殺菌する水処理装置とを備え、前記水処理装置が前記処理水槽内で複数直列に配置されている水処理設備。
【請求項８】
処理水が流れる処理水管に接続された処理水槽と、前記処理水槽内に設けられた一対の電極及び前記一対の電極に接続されたパルス電源が設けられ前記パルス電源によって前記一対の電極間にパルス電圧を印加させて前記処理水を可溶化する水処理装置とを備え、前記水処理装置が前記処理水槽内で複数直列に配置されていることを特徴とする水処理設備。
【請求項９】
前記処理水槽は、上流側に配置された前記処理水管より下方に配置されていることを特徴とする請求項６〜８いずれかに記載の水処理設備。
【発明の詳細な説明】
【技術分野】
【０００１】
本発明は、水処理装置及び水処理設備に関する。
【背景技術】
【０００２】
水処理装置には目的に応じて処理水に種々の処理を行うものがある。例えば水中の有害な細菌を殺菌する水処理装置においては、熱処理あるいは圧力処理等のバッチ処理を行う構造が採用されており、特に、雨水処理を行う水処理装置においては、ろ過後薬液処理を行うものが採用されている。
また、水処理装置として、一対の電極間に高周波電界を発生させる液中放電装置が提案されている。従来の液中放電装置としては、例えば、パルス電源からセル内に配設された複数の放電電極へ高電圧を印加すると、放電電極の周囲を取巻いている絶縁物に開けられた微小穴から放電が行われ、その近傍で電離が起こってストリーマを発生させるものがある（特許文献１参照）。
【特許文献１】特開昭６３−２７８５４９号公報（第２頁、第１図）
【０００３】
一方、水処理装置として処理水を可溶化するものがある。このような水処理装置では、超音波や加圧破砕等を用いた機械式処理、オゾン、酸化剤あるいはアルカリ等を用いた化学的処理、水熱処理等を用いた高温高圧処理、微生物を用いた生物学的処理がある。
【発明の開示】
【発明が解決しようとする課題】
【０００４】
上記殺菌目的の水処理装置においては、熱処理あるいは圧力処理等のバッチ処理を行う場合あるいはろ過後薬液処理を行う場合、それらの処理を行う設備が大型化するため、その設備に莫大な費用がかかってしまうとともに、その設備のメンテナンスにも莫大な費用がかかってしまうという問題があった。また、一対の電極間に高周波電界を発生させる場合、その高周波電界を生じさせることで消費電力が大きくなってしまうという問題があった。さらに、一対の電極間に高周波電界を発生させる場合、高エネルギー放電が起こり、その放電経路が全経路に対して割合が小さいため、放電経路の分布が均一でなくなることで、処理効率が悪くなるという問題があった。
【０００５】
一方、可溶化目的の水処理装置においては、高温高圧処理は設備が大掛かりになりイニシャルコストが高くなるという問題点があり、化学的処理は設備費用及びメンテナンス費用が大きいばかりか耐環境性に問題があり、機械式処理は消費エネルギーが大きいという問題があり、さらに生物学的処理は処理時間を要するという問題がある。
【０００６】
本発明は、このような事情を考慮してなされたもので、設備が小型化し、その設備にかかる費用及びエネルギーが削減され、処理効率が高い水処理装置を提供することを目的とする。
【課題を解決するための手段】
【０００７】
本発明は、上記課題を解決するため、以下の手段を採用する。
第1の手段は、処理水が流れる処理水槽内に設けられた一対の電極と、一対の電極に接続されたパルス電源とを備え、パルス電源によって一対の電極間にパルス電圧を印加させることにより処理水に所定の処理を施すことを特徴とする。
【０００８】
また、第２の手段は、処理水が流れる処理水槽内に設けられた一対の電極と、一対の電極に接続されたパルス電源とを備え、パルス電源によって一対の電極間にパルス電圧を印加させて処理水に含まれる細菌を殺菌することを特徴とする。
【０００９】
また、第３の手段は、処理水が流れる処理水槽内に設けられた一対の電極と、一対の電極に接続されたパルス電源とを備え、パルス電源によって一対の電極間にパルス電圧を印加させることにより処理水を可溶化することを特徴とする。
【００１０】
また、第４の手段は、前記平面を処理水の流れ方向に垂直となるように配置され、前記流れ方向に対して上流側に位置する電極には下流方向に向いた複数の針状部、あるいは／及び、下流側に位置する電極には上流方向に向いた複数の針状部が形成されていることを特徴とする。
【００１１】
また、第５の手段は、一対の電極は、メッシュ状に形成された球体電極と、先端が球体電極の中心に位置する棒状電極であることを特徴とする。
【００１２】
また、第６の手段は、処理水が流れる処理水槽と、処理水槽内に設けられた一対の電極及び一対の電極に接続されたパルス電源が設けられパルス電源によって一対の電極間にパルス電圧を印加させて処理水に所定の処理を施す水処理装置とを備え、水処理装置が処理水槽内で複数直列に配置されていることを特徴とする。
【００１３】
また、第７の手段は、処理水が流れる処理水管に接続された処理水槽と、処理水槽内に設けられた一対の電極及び一対の電極に接続されたパルス電源が設けられパルス電源によって一対の電極間にパルス電圧を印加させて処理水に含まれる細菌を殺菌する水処理装置とを備え、水処理装置が処理水槽内で複数直列に配置されていることを特徴とする。
【００１４】
また、第８の手段は、処理水が流れる処理水管に接続された処理水槽と、処理水槽内に設けられた一対の電極及び一対の電極に接続されたパルス電源が設けられパルス電源によって一対の電極間にパルス電圧を印加させて処理水を可溶化する水処理装置とを備え、水処理装置が処理水槽内で複数直列に配置されていることを特徴とする。
【００１５】
さらに、第９の手段は、処理水槽が上流側に配置された処理水管より下方に配置されていることを特徴とする。
【発明の効果】
【００１６】
上記第１の手段によれば、簡単な装置かつ低コストで処理水に所定の処理を施すことができる。また、処理水に何らかの薬剤を添加する必要がないので、耐環境性の問題も生じない。
【００１７】
上記第２の手段によれば、熱処理あるいは圧力処理等のバッチ処理あるいはろ過後の薬液処理を行う必要がないため、装置の大型化が回避されることとなる。また、一対の電極間に高周波電界を発生させる必要がないため、消費電力が最小限に抑えられることとなる。さらに、処理水に何らかの薬剤を添加する必要がないので、耐環境性の問題も生じない。
【００１８】
上記第３の手段によれば、簡単な装置かつ低コストで処理水を可溶化することができる。また、処理水に何らかの薬剤を添加する必要がないので、耐環境性の問題も生じない。
【００１９】
上記第４の手段によれば、一対の電極が、メッシュ状に構成された平面を有し、該平面を処理水の流れ方向に垂直となるように配置され、この流れ方向に対して上流側に位置する電極には下流方向に向いた複数の針状部、あるいは／及び、下流側に位置する電極には上流方向に向いた複数の針状部が形成されているので、処理水が流れる際に一対の電極にパルス電源からパルス電圧を印加するだけで殺菌処理されるため、殺菌処理を連続的に行うこととなる。
また、電極が複数の針状部を有していることにより、低エネルギー放電（ストリーマ放電）によるパルス電圧の印加が可能となる。
【００２０】
上記第５の手段によれば、棒状電極の先端が球体電極の中心に位置するので、低エネルギー放電が棒状電極の先端と球体電極の各部位との間で均一に発生する。したがって、処理水を均等に可溶化することが可能である。
【００２１】
上記第６の手段によれば、各々の水処理装置における所定の処理によって、当該所定の処理が処理水に確実に施される。
【００２２】
上記第７の手段によれば、各々の水処理装置における殺菌処理によって、処理水が確実に殺菌処理される。
【００２３】
上記第８の手段によれば、各々の水処理装置における可溶化処理によって、処理水が確実に可溶化処理される。
【００２４】
上記第９の手段によれば、上流側に配置された処理水管から処理水が流れてくると、一対の電極が処理水槽内で水没するようになるため、処理水槽内を通過する処理水が、パルス電圧を印加された一対の電極によって常に所定の処理、殺菌処理あるいは可溶化処理される。
【発明を実施するための最良の形態】
【００２５】
以下、図面を参照して、本発明の一実施形態について説明する。
図１は、本発明における第１の実施の形態を示す図であって、本発明を適用した水処理装置を示す図である。図１において符号１０は、本発明を適用した水処理設備である。この水処理設備１０は、降雨によって地中に溜まった雨水を処理する設備として用いられるものであり、処理水槽１１と、空間部１２と、複数例えば３個の水処理装置２０とを備え、地盤１内に埋設されている。
【００２６】
処理水槽１１は、例えば円筒状に形成され、処理水槽１１と同径の処理水管２，３にその両側を接続されている。上流側の処理水管２から処理水槽１１の内部に流れる処理水４が、処理水槽１１の内部を通過して、下流側の処理水管３に流れ出るようになっている。この処理水槽１１は、上流側の処理水管２より下方、すなわち地盤１内において処理水管２より深い位置に配置されている。
【００２７】
空間部１２は、水処理設備１０を作動させる作業者が出入りあるいは滞在可能となるように、地上に直結する通路１２ａを有して地盤１内の処理水槽１１上に設けられている。水処理装置２０は、図２に示すように、処理水槽１１の内部に３個直列に配置され、それぞれ一対の電極２１，２２と、パルス電源２３とを備えている。
【００２８】
一対の電極２１，２２は、処理水槽１１内に設けられ、処理水４が通過しやすいようにメッシュ状に構成された平面を有し、その平面を処理水管１１の長手方向に垂直となるように配置されている。なお、処理水４の流れ方向において上流側に位置する電極２１には下流方向に向いた複数の針状部が形成されているが、これに代えてあるいはこれに加えて、下流側に位置する電極２２に上流方向に向いた複数の針状部を形成しても良い。
【００２９】
この一対の電極２１，２２は、上流側の処理水管２から処理水４が流れてくると、処理水槽１１内が処理水４で満たされることによって、処理水槽１１内で水没するようになっている。パルス電源２３は、一対の電極２１，２２に接続されており、その一対の電極２１，２２間にパルス電圧を印加させるようになっている。
【００３０】
次に、上記の構成からなる水処理装置の機能および作用について説明する。
上流側から処理水管２を通過して処理水槽１１に流れた処理水４は、処理水槽１１内で水処理装置２０を用いて殺菌処理されて、処理水管３を通過して下流側へ排出される。
すなわち、上流側から矢印の方向に流れてきた雨水等の処理水４は、処理水管２を通過して処理水槽１１に流れる。このとき、処理水槽１１が処理水管２より地盤１の下方に配置されているため、上流側から矢印の方向に流れてきた処理水４が下流側の矢印の方向に流れ出るまでに、処理水槽１１内に設けられた一対の電極２１，２２が水没するまで処理水４が満たされた後、下流側の処理水管３から処理水４が排出される。
【００３１】
この処理水４が処理水槽１１を通過する際、処理水４が一対の電極２１，２２を通過することとなるが、この一対の電極２１，２２が、処理水４が通過しやすいようにメッシュ状に構成された平面を有し、その平面を処理水管１１の長手方向に垂直となるように配置され、かつ一対の電極２１，２２に接続されたパルス電源２３によって一対の電極２１，２２間にパルス電圧が印加されているため、処理水４に混在している有害な大腸菌等の細菌を殺菌して、その殺菌済の処理水４が下流側の処理水管３から排出されることとなる。
【００３２】
この場合、一対の電極２１，２２と、その一対の電極２１，２２に接続されたパルス電源２３とを備え、パルス電源２３によって一対の電極２１，２２間にパルス電圧を印加させて処理水４に含まれる細菌を処理水槽１１内で殺菌することにより、熱処理あるいは圧力処理等のバッチ処理あるいはろ過後の薬液処理を行う必要がないため、装置の大型化が回避されることとなる。また、一対の電極間に高周波電界を発生させる必要がないため、消費電力が最小限に抑えられることとなる。
【００３３】
また、一対の電極２１，２２が、メッシュ状に構成された平面を有し、その平面を処理水管１１の長手方向に垂直となるように配置されていることにより、処理水４の流路中に一対の電極２１，２２が配置され、処理水４が流れる際に一対の電極２１，２２にパルス電源２３からパルス電圧を印加するだけで殺菌処理されるため、殺菌処理を連続的に行うこととなる。また、電極２１の平面の下流側に下流方向に向いた複数の針状部を有していることにより、低エネルギー放電（ストリーマ放電）によるパルス電圧の印加が可能となる。
【００３４】
また、水処理装置２０が処理水槽１１内で３個直列に配置されていることにより、それぞれの水処理装置２０における殺菌処理によって、最終的に確実に殺菌処理されて排水されることとなる。また、処理水槽１１が、上流側に配置された処理水管２より下方に配置されていることにより、上流側に配置された処理水管２から処理水４が流れてくると、一対の電極２１，２２が処理水槽１１内で水没するため、処理水槽１１内を通過する処理水４が、パルス電圧を印加された一対の電極２１，２２によって常に殺菌処理されることとなる。
【００３５】
上記の構成によれば、水処理設備１０に備えられたそれぞれの水処理装置２０における殺菌処理によって、最終的に確実に殺菌処理されて排水されることとなるので、処理水４の殺菌処理が連続的になされ、水処理設備１０の処理効率を向上させることができる。  また、処理水槽１１が、上流側に配置された処理水管２より下方に配置されていることにより、処理水槽１１内を通過する処理水４が、パルス電圧を印加された一対の電極２１，２２によって常に殺菌処理されることとなるので、処理水４の殺菌処理が連続的になされ、水処理設備１０及び水処置装置２０の処理効率を向上させることができる。
【００３６】
また、一対の電極２１，２２と、その一対の電極２１，２２に接続されたパルス電源２３とを備え、パルス電源２３によって一対の電極２１，２２間にパルス電圧を印加させて処理水４に含まれる細菌を処理水槽１１内で殺菌することにより、熱処理あるいは圧力処理等のバッチ処理あるいはろ過後の薬液処理を行う必要がないため、装置の大型化が回避されることとなるので、水処理装置１１さらには水処理設備１０を小型化することができる。
【００３７】
また、一対の電極間に高周波電界を発生させる必要がないため、消費電力が最小限に抑えられることとなるので、水処理設備１０が消費する電力を削減することができる。また、一対の電極２１，２２が、メッシュ状に構成された平面を有し、その平面を処理水管１１の長手方向に垂直となるように配置され、電極２１の平面の下流側に下流方向に向いた複数の針状部を有していることにより、処理水４の流路中に一対の電極２１，２２が配置され、処理水４が流れる際に一対の電極２１，２２にパルス電源２３から低エネルギー放電によってパルス電圧を印加するだけで殺菌処理されるため、殺菌処理を連続的に行うこととなるので、殺菌処理の効率を向上させることができる。
【００３８】
図３は、本発明における第２の実施の形態を示す図であって、本発明を適用した水処理設備を示す図である。  図３においては、上記第１の実施の形態における図１と同一構成要素には同一符号を付し、その説明を省略する。
【００３９】
海面上に浮かんだ浮体構造物５が設置され、その浮体構造物５上に水処理設備１０が設置されている。この水処理設備１０は、処理水槽１１と、空間部１２と、複数例えば３個の水処理装置２０とを備えている。  岸壁６には、その岸壁６内を貫通する処理水管７が設けられ、Ｓ字型に形成され処理水槽１１の上流側に接続された処理水管８に接続されている。
【００４０】
また、処理水槽１１の下流側には、処理水管９が接続されており、その処理水管９にはポンプ９ａが設けられている。この処理水管９は、その下流側が海面下に配置されるようにＳ字型に形成されている。  地上から送られた雨水等の処理水４が、処理水管７，８内を通過して、処理水槽１１を通過した後、処理水管９内を通過して海面下に排水されるようになっている。
【００４１】
次に、上記の構成からなる水処理装置の機能および作用について説明する。
上流側から処理水管７，８を通過して処理水槽１１に流れた処理水４は、処理水槽１１内で水処理装置２０を用いて殺菌処理されて、処理水管９を通過して下流側へ排出される。すなわち、上流側から矢印の方向に流れてきた雨水等の処理水４は、処理水管７，８を通過して処理水槽１１に流れ、さらに処理水管９に流れる。
【００４２】
このとき、処理水管９に設けられたポンプ９ａを停止させ、上流側から流れる処理水４によって処理水槽１１に設けられた一対の電極２１，２２が水没するまで処理水管９の下流側からの排水を停止させておく。一対の電極２１，２２が水没した後、ポンプ９ａを稼動させて徐々に処理水４を処理水管９の下流側に排水する。
【００４３】
この処理水４が処理水槽１１を通過する際、処理水４が一対の電極２１，２２を通過することとなるが、この一対の電極２１，２２が、処理水４が通過しやすいようにメッシュ状に構成された平面を有し、その平面を処理水管１１の長手方向に垂直となるように配置され、電極２１の平面の下流側に下流方向に向いた複数の針状部を有し、かつ一対の電極２１，２２に接続されたパルス電源２３によって一対の電極２１，２２間に低エネルギー放電によるパルス電圧が印加されているため、処理水４に混在している有害な大腸菌等の細菌を殺菌して、その殺菌済の処理水４が下流側の処理水管３から排出されることとなる。
【００４４】
このように、第２の実施の形態においても、一対の電極２１，２２と、その一対の電極２１，２２に接続されたパルス電源２３とを備え、パルス電源２３によって一対の電極２１，２２間にパルス電圧を印加させて処理水４に含まれる細菌を処理水槽１１内で殺菌することにより、熱処理あるいは圧力処理等のバッチ処理あるいはろ過後の薬液処理を行う必要がないため、装置の大型化が回避されることとなり、また、一対の電極間に高周波電界を発生させる必要がないため、消費電力が最小限に抑えられることとなるので、上記第１の実施の形態と同様の効果を得ることができる。
【００４５】
また、一対の電極２１，２２が、メッシュ状に構成された平面を有し、その平面を処理水槽１１の長手方向に垂直となるように配置され、電極２１の平面の下流側に下流方向に向いた複数の針状部を有していることにより、処理水４の流路中に一対の電極２１，２２が配置され、処理水４が流れる際に一対の電極２１，２２にパルス電源２３から低エネルギー放電によるパルス電圧を印加するだけで殺菌処理されるため、殺菌処理を連続的に行うこととなるので、上記第１の実施の形態と同様の効果を得ることができる。
【００４６】
また、水処理装置２０が処理水槽１１内で３個直列に配置されていることにより、それぞれの水処理装置２０における殺菌処理によって、最終的に確実に殺菌処理されて排水されることとなるので、上記第１の実施の形態と同様の効果を得ることができる。また、処理水槽１１が、上流側に配置された処理水管２より下方に配置されていることにより、上流側に配置された処理水管２から処理水４が流れてくると、一対の電極２１，２２が処理水槽１１内で水没するため、処理水槽１１内を通過する処理水４が、パルス電圧を印加された一対の電極２１，２２によって常に殺菌処理されることとなるので、上記第１の実施の形態と同様の効果を得ることができる。
【００４７】
なお、上記実施の形態においては、水処理設備１０に設けられた水処理装置２０について、３個直列に配置されているが、３個に限らず、必要に応じてその個数を増減させてもよい。また、複数の水処理装置２０の一部あるいは全部を並列に配置してもよい。また、上記第１の実施の形態において水処理設備１０を地盤１内に設け、上記第２の実施の形態において水処理設備１０を海面上に浮かんだ浮体構造物５上に設けているが、これらは地中あるいは海上に設置した一例であり、これらに限らず、水処理設備１０が設置可能であれば、海上あるいは海中、陸上あるいは陸中のいずれに水処理設備１０を設けてもよい。
【００４８】
〔追加実施形態〕
次に、本発明の第３実施形態について、図４を参照して説明する。
上記各実施形態は、高電圧のパルス電圧によって処理水４に殺菌処理を施すものであるが、本第３実施形態は処理水に可溶化処理を施すものである。この処理水は、例えば下水汚泥であり、微生物が形成するフロック（集合体）が多量に含まれたものである。フロックを多く含む下水汚泥は可溶性が低く処理性が悪い。
【００４９】
図４は、本第３実施形態における水処理装置の構成を示す斜視図であり、処理水槽１１Ａ、処理水管２Ａ、一対の電極２１Ａ，２２Ａ及びパルス電源２３Ａから構成されている。処理水槽１１Ａは、中空円筒状の容器（リアクター）であり、上端面と下端面とに処理水管２Ａがそれぞれ連接されている。処理水は、上端面の処理水管２Ａから処理水槽１１Ａ内に流れ込み、当該処理水槽１１Ａを経由して下端面の処理水管２Ａから流れ出す。そして、処理水槽１１Ａ内には、パルス電源２３Ａに各々接続された一対の電極２１Ａ，２２Ａが収容されている。
【００５０】
本第３実施形態における一対の電極２１Ａ，２２Ａのうち、一方の電極２１Ａはメッシュ状に形成された球体電極であり、その中心が処理水槽１１Ａの中心に略一致するように処理水槽１１Ａ内に支持されている。また、他方の電極２２Ａは、被覆を有する棒状電極であり、上方から一方の電極２１Ａの内部に挿入されている。他方の電極２２Ａの先端部は一方の電極２１Ａの中心に位置すると共に、被覆が削除されて芯線が露出状態になっている。すなわち、他方の電極２２Ａの先端部は、一方の電極２１Ａの何れの部位からも等距離に位置している。
【００５１】
このように構成された本水処理装置では、露出状態にある他方の電極２２Ａの先端部と一方の電極２１Ａとの間で、パルス電源２３Ａから供給された高電圧のパルス電圧による放電が生じることにより、処理水のフロック及び当該フロックを構成する微生物の細胞膜が破壊されて可溶化される。
【００５２】
一方の電極２１Ａと他方の電極２２Ａの先端部との間で発生する放電は低エネルギー放電であり、したがってパルス電源２３Ａの消費電力は最小限に抑えられる。また、他方の電極２２Ａの先端部は、一方の電極２１Ａの何れの部位からも等距離に位置しているので、上記低エネルギー放電は、一方の電極２１Ａの各部位と他方の電極２２Ａの先端部との間で均一に発生する。したがって、処理水槽１１Ａの上端面の処理水管２Ａから内処理水槽１１Ａ内に流入した処理水は、一方の電極２１Ａの内側に位置する領域において均等に可溶化されて下端面の処理水管２Ａから排出される。
【００５３】
このような第３実施形態によれば、簡単な装置構成かつ低コストで処理水の可溶化を実現することができばかりか、従来の生物学的処理よりの短時間で耐環境性にも優れた可溶化を実現することができる。すなわち、本実施形態によれば、従来の各種可溶化技術の問題点を全て解決することができる。
【００５４】
なお、可溶化における電極構造は、上記一対の電極２１Ａ，２２Ａの構造に限定されるものではなく、第１及び第２実施形態で用いた電極を用いても良い。また、例えば一対の並行平板電極、あるいはメッシュ状の中空円筒電極と当該中空円筒電極の中心軸線上に位置すると共に当該中心軸線に沿って突起が多数形成された棒状電極との組み合わせであっても良い。また、本第３実施形態の一対の電極２１Ａ，２２Ａを第１及び第２実施形態で用いても良い。
【００５５】
さらに、上記一対の電極２１Ａ，２２Ａを処理水槽１１Ａ内に複数直列に配置することによって、あるいは処理水槽１１Ａを複数直列に配置することによって、処理水をより確実に可溶化するようにしても良い。
【図面の簡単な説明】
【００５６】
【図１】本発明の第１実施形態に係る水処理設備の断面図である。
【図２】本発明の第１実施形態に係る水処理装置の断面図である。
【図３】本発明の第２実施形態に係る水処理設備の断面図である。
【図４】本発明の第３実施形態に係る水処理設備の一部断面を含む斜視図である。
【符号の説明】
【００５７】
１０  水処理設備
２０  水処理装置
２１，２２  一対の電極
２３  パルス電源
【図１】
2005058995.tif 000003
【図２】
2005058995.tif 000004
【図３】
2005058995.tif 000005
【図４】
2005058995.tif 000006